(57)【特許請求の範囲】
【請求項１】
横長矩形状シート体の左右両側の面をそれぞれ中央シート面より狭幅にカットして左シート面及び右シート面を形成し、前記中央シート面の前記左シート面側における幅方向に前記右シート面の先端部が挿通可能な左スリットを刻設する一方、該中央シート面の前記右シート面側における幅方向に前記シート面の先端部が挿通可能な２本の右スリットを間をあけて刻設し、前記中央シート面の一側端に突出片を内側に折り畳み可能に延設し、かつ該突出片の前記中央シート面側に、スリット及び該スリットに接続する折り目を刻設し、さらに該折り目に頂点が接続するノッチを前記中央シート面の一側端に設けて折り畳みシート本体を形成し、該折り畳みシート本体の前記突出片を内側に折り畳んでから、前記２本の右スリットの内側に位置する右スリットを折り線として前記右シート面を内側に折り畳んで該右シート面の先端部を前記左スリットに挿通し、しかる後前記左シート面の先端部を前記２本の右スリットのそれぞれに挿通して成り、前記左右シート面の各先端部をそれぞれ外側に引っ張ることにより前記中央シート面が山型に盛り上がり、同時に該山型の内部より前記突出片が前記中央シート面の一側端と対向する幅方向に突出するように構成したことを特徴とする折り畳みシート体。
【請求項２】
前記中央シート面の略中央部に曲線状及び／又は直線状のスリットによりシート片が刻設されており、前記左右シート面の各先端部をそれぞれ外側に引っ張ることにより前記シート片が前記中央シート面の山型の頂部に形成されるように構成されていることを特徴とする請求項１に記載の折り畳みシート体。
【発明の詳細な説明】
【技術分野】
【０００１】
本発明は、折り畳みシート体に関し、さらに詳細には、折り畳みシート本体の左右の各先端部をそれぞれ外側に引っ張ることにより中央シート面が山型に盛り上がり、同時にこの山型の内部より突出片が幅方向に突出するように構成された折り畳みシート体に関する。
【背景技術】
【０００２】
従来、折り畳みシート体として、例えば、写真、切手、シール等の紙片を添付するためのもの、あるいは、内面や外面に文字や図形等を印刷してパンフレットや地図として使用するようにしたものが公知である。しかしながら、これらの折り畳みシート体は、実用性の面ではともかく、折り畳まれたシート体を拡げたときの意外性や娯楽性に乏しく、このため、かかる折り畳みシート体を例えば書籍等の商品の拡販目的や幼児の知育目的あるいは遊び道具等の面で役立てることは不可能であった。
【０００３】
これに対し、例えば特許文献１には、子供向けの絵本や月刊誌の付録等に使用し、鑑賞用の置物や子供の遊び道具としての使用を目的とした組み立て式用紙が提案されている。なお、この発明は組み立てた立体の底面用紙部にホログラムを設け、外部からのぞき見るようにしたものである。
【０００４】
しかしながら、この組み立て式用紙に係る発明は、組み立てられた組立体そのものを操作して楽しむものではなく、やはり依然として上述した意外性や娯楽性に乏しく、このため商品の拡販目的や幼児の知育目的あるいは遊び道具等として使用面では満足できるものではなかった。
【０００５】
そこで、従来、立体的に組み立てられた組立体の操作体を操作して楽しむようにした一種の折り畳みシート体が特許文献２で「立体物素材」として知られている。この「立体物素材」とは、グリーティングカードや絵本等に使用されるもので、本体の一部、例えば猫の胴体に組み付けられた操作体である尻尾部分を外側に引っ張ることにより、眠っていた猫が顔を持ち上げるように構成されたものである。しかしながら、この立体物素材は、顔部を含む本体、尻尾部分の操作体、腹体等をそれぞれ別個にシート材から形成し、これらを接着剤等を用いて組み立て、この組立体を台体上に固定して使用するようにしたものであるので、構造が複雑でかつ製造工数が多いことから製造コストが高くなる欠点があった。
【特許文献１】特開２００５−２８７８５２号公報
【特許文献２】特開平１０−３２４０８０号公報
【発明の開示】
【発明が解決しようとする課題】
【０００６】
本発明は、上述したような実情に鑑みてなされたもので、その目的とするところは、意外性や娯楽性に富み、商品の拡販目的や幼児の知育目的あるいは遊び道具等として使用でき、かつ安価に製造できる折り畳みシート体を提供することにある。
【課題を解決するための手段】
【０００７】
本発明は、折り畳みシート体に係り、本発明の上記目的は、横長矩形状シート体の左右両側の面をそれぞれ中央シート面より狭幅にカットして左シート面及び右シート面を形成し、前記中央シート面の前記左シート面側における幅方向に前記右シート面の先端部が挿通可能な左スリットを刻設する一方、該中央シート面の前記右シート面側における幅方向に前記シート面の先端部が挿通可能な２本の右スリットを間をあけて刻設し、前記中央シート面の一側端に突出片を内側に折り畳み可能に延設し、かつ該突出片の前記中央シート面側に、スリット及び該スリットに接続する折り目を刻設し、さらに該折り目に頂点が接続するノッチを前記中央シート面の一側端に設けて折り畳みシート本体を形成し、該折り畳みシート本体の前記突出片を内側に折り畳んでから、前記２本の右スリットの内側に位置する右スリットを折り線として前記右シート面を内側に折り畳んで該右シート面の先端部を前記左スリットに挿通し、しかる後前記左シート面の先端部を前記２本の右スリットのそれぞれに挿通して成り、前記左右シート面の各先端部をそれぞれ外側に引っ張ることにより前記中央シート面が山型に盛り上がり、同時に該山型の内部より前記突出片が前記中央シート面の一側端と対向する幅方向に突出するように構成したことを特徴とする折り畳みシート体を提供することにより達成される。
【０００８】
また、本発明の上記目的は、前記中央シート面の略中央部に曲線状及び／又は直線状のスリットによりシート片が刻設されており、前記左右シート面の各先端部をそれぞれ外側に引っ張ることにより前記シート片が前記中央シート面の山型の頂部に形成されるように構成されていることを特徴とする折り畳みシート体を提供することにより、効果的に達成される。
【発明の効果】
【０００９】
本発明に係る折り畳みシート体によれば、左右の先端部をそれぞれ外側に引っ張ることにより中央シート面が山型に盛り上がり、同時にこの山型の内部より突出片が幅方向に突出するように構成されているので、使用者、とくに幼児等は意外な驚きをもって楽しむことができる。
【００１０】
とくに、前記左右シート面の各先端部をそれぞれ外側に引っ張ることにより曲線状及び／又は直線状のスリットに形成されたシート片が出現するように構成された折り畳みシート体によれば、上述の意外性及び娯楽性を一層顕著なものとすることができる。
【００１１】
また、前記折り畳みシート本体の少なくとも前記突出片の表面に絵柄又は文字から成るデザインが施された折り畳みシート体によれば、このデザインを宣伝広告用とすることにより商品の拡販を図ることができ、またデザインをキャラクター等の絵柄あるいは簡単な文字や数字とすることにより幼児の知育目的や遊び道具として適用することができる。
【００１２】
さらにまた、本折り畳みシート体は、一枚のシート体を用いプレス加工のみで製造でき、組立も容易にできるので、安価な製品を提供することができる。
【００１３】
以下、本発明に係る折り畳みシート体について、図面を参照しながら詳細に説明する。なお、本発明は必ずしも以下の実施形態に限定されるものではなく、特許請求の範囲を逸脱しない範囲において、その構成を適宜に変更できることはいうまでもない。
【発明を実施するための最良の形態】
【００１４】
図１は、本発明に係る折り畳みシート体（以下、「本折り畳みシート体」という）１０の展開背面図、図２〜図４は、図１に示す本折り畳みシート体１０の組み立て方法を順に示す説明図である。
【００１５】
本折り畳みシート体１０は、横長矩形状シート体１１の左右両側の面を中央シート面１２より狭幅にカットしてそれぞれ左シート面１３及び右シート面１４を形成し、前記中央シート面１２の左シート面１３側における幅方向に右シート面１４の先端部１４Ａが挿通可能な左スリット１５を刻設する一方、中央シート面１２の右シート面１４側における幅方向に左シート面１３の先端部１３Ａが挿通可能な２本の右スリット１６Ａ、１６Ｂを間Ｗをあけて刻設し、中央シート面１２の一側端（図１の下方端）１２Ａに突出片１７を折り目の谷折線１８Ａから内側に折り畳み可能に延設し、この突出片１７の中央シート面１２側に台形状のスリット１９Ａ及びこのスリット１９Ａに一側端１２Ａから接続する傾斜状の山折線２０Ａと幅方向に直線状の山折線２０Ｂを刻設し、かつ山折線２０Ａにそれぞれ頂点が接続する２つの三角形状のノッチ２３を中央シート面１２の一側端１２Ａに設けて折り畳みシート本体１０Ａが構成されている。なお、左シート面１３を中央シート面１２より狭幅にカットする際には、両シート面の境界両端部に先端形状が山型状のストッパ１２Ｓが形成される。このストッパ１２Ｓは、後述するように左シート面１３及び右シート面１４の引っ張り範囲を限定する機能を有している。
【００１６】
本実施形態では突出片１７の表面に図１で示すようなパンダの顔を象ったデザイン２１が印刷によって施されており、また中央シート面１２の略中央部には左右(長手方向)に対称な円弧状のスリット１９Ｂ及びこのスリット１９Ｂに直線状に接続する谷折線１８Ｂ、１８Ｃが刻設されている。この円弧状のスリット１９Ｂによって形成される円板状のシート２２内には、必要に応じ、文字あるいは絵柄等から成るデザインが施される。
【００１７】
このように構成された折り畳みシート本体１０Ａにおいて、図２に示すように、先ず突出片１７を谷折線１８Ａから内側に折り畳み、その後、図３に示すように、右シート面１４を右スリット１６Ａ及びこの右スリット１６Ａに接続して幅方向に刻設された谷折線１８Ｄから内側に折り畳んで右シート面１４の先端部１４Ａを左スリット１５に挿通し、そして最後に、図４に示すように、左シート面１３の先端部１３Ａを他の右スリット１６Ｂに挿通することにより本折り畳みシート体１０が組み立てられる。
【００１８】
ここに、上述した折り畳みシート本体１０Ａは、シート材を公知のプレス加工装置によって簡単に形
成することができ、所定形状に形成された折り畳みシート本体１０Ａは公知の折込み加工装置によって所望の折り畳みシート体１０に簡単に組み立てることができる。このため、本折り畳みシート体１０は安価に製造することができる。
【００１９】
次に、図５〜図７を用いて上述のとおり組み立てられた本折り畳みシート体１０の使用方法を説明する。
【００２０】
図５は、図４に背面図で示される本折り畳みシート体１０の正面図で、使用者側から見た図である。図示する本折り畳みシート体１０は、図４に示されるものと左右が逆になっており、右スリット１６Ａからは左シート面１３の先端部１３Ａが露出し、左スリット１５からは右シート面１４の先端部１４Ａが露出した状態となっている。
【００２１】
この状態において、左シート面１３の先端部１３Ａ及び右シート面１４の先端部を１４Ａをそれぞれ指先で持って矢印Ｙ１で示す左右方向に同時に引っ張ると、この引っ張り力により中央シート面１２が左スリット１５及び右スリット１６Ａを基部として立ち上げられ山型に隆起する。この中央シート面１２の隆起作用に連動して山折線２０Ａ及び山折線２０Ｂが内側に折り込まれ、これにより突出片１７の谷折線１８Ａ部が上方に押し上げられて突出片１７がこの山型に隆起した中央シート面１２の中から矢印Ｙ２で示すように幅方向に突出し始める。
【００２２】
この状態からさらに先端部及１３Ａ及び先端部１４Ａを矢印Ｙ１方向に引っ張ると、中央シート面１２はさらに隆起した山型となり、最終的には、図８に図７の背面図で示すように、ストッパ１２Ｓの山型に形成された先端部が右スリット１６Ｂに係止されて引っ張り範囲が限定される。この最終時点には、隆起した山型の中から突出片１７の頭部が完全に外に突出し、これに伴い、突出片１７に施されたデザイン２１が出現する。
【００２３】
図９は、図７に示す本折り畳みシート体１０の斜視図である。図示するように、この最終状態における、すなわち立体的に組み立てられた中央シート面１２は正面から見ると山の頂部に円板のシート片２２を載せた形となっており、また、この中央シート面１２の内部からデザイン２１が施された突出片１７が完全に突出されているので、使用者、とくに幼児等はこの組立体を見て楽しむことができる。
【００２４】
以上、本発明の内容を一実施形態に基づき説明したが、本発明は必ずしもこの実施形態に限定されるものでないことは前述したとおりである。
【００２５】
例えば、前記実施形態では中央シート面１２の中央部に円弧状のスリット１９Ｂを刻設し、最終段階で円板のシート片２２が形成されるようにしたが、この形状は円板に限られるものではなく、曲線状及び／又は直線状のスリットを刻設することにより、例えばクリスマスツリーを象ったものとする等、種々の形状のシート片２２を形成することが可能である。なお、格別な目的がなければ、かかるスリットは不要である。
【００２６】
なお、本発明の内容をより明確にするために、本発明に係る折り畳みシートの見本を撮影した写真を図１１〜図２５に添付する。
【００２７】
以上のとおり構成された本発明に係る折り畳みシート体によれば、例えば図１０に示すように、左シート面１３の端部表面に数字の「１０」を印刷したラベル２４Ａを、中央の円板状のシート片２２の表面に「÷」印を印刷したラベル２４Ｂを、右シート面の１４の端部表面に数字の「２」を印刷したラベル２４Ｃを、１０割る２はいくつとの質問に対する答え、すなわち数字の「５」を印刷したラベル２４Ｄを突出片１７の表面にそれぞれ貼着しておくことにより、子供の算数教育を楽しみながらできる。なお、このラベルやデザインを種々なものに代えることにより、また、突出片１７の形状を種々なものとすることにより、その他多くの目的に役立てることができる。
【００２８】
また、本発明に係る折り畳みシート体は折り畳んだ状態では薄い一枚のシートであるので、書籍を始め、各種の商品の付録として添付することも十分に可能である。
【図面の簡単な説明】
【００２９】
【図１】本発明に係る折り畳みシート体の展開背面図である。
【図２】上記折り畳みシート体の組立て方法説明図で、突出片を折り畳んだ状態を示す図ある。
【図３】上記折り畳みシート体の組立て方法説明図で、右シート面を折り畳んだ状態を示す図である。
【図４】上記折り畳みシート体の組立て方法説明図で、左シート面を折り畳み、折り畳みシート体が最終的に組み立てられた状態を示す図である。
【図５】図４に背面図で示される折り畳みシート体の正面図で、使用開始時の状態（閉じた状態）を示す図である。
【図６】図５に示される折り畳みシート体の使用途中（開き始め時）の状態を示す図である。
【図７】図５に示される折り畳みシート体の使用最終時(開き終わり時)の状態を示す図である。
【図８】図７に示される使用最終時における折り畳みシート体の背面図である。
【図９】図７に示される使用最終時における折り畳みシート体の斜視図である。
【図１０】本発明に係る折り畳みシート体の他の使用例を示す正面図である。
【図１１】本発明の実施形態に係る折り畳みシート体の使用開始前の状態（閉じた状態）を写真で示す正面図である。
【図１２】上記写真で示す折り畳みシート体の背面図である。
【図１３】上記写真で示す折り畳みシート体の平面図である。
【図１４】上記写真で示す折り畳みシート体の底面図である。
【図１５】上記写真で示す折り畳みシート体の左側面図である。
【図１６】上記写真で示す折り畳みシート体の右側面図である。
【図１７】本発明の実施形態に係る折り畳みシート体の使用時の状態（完全に開いた状態）を写真で示す正面図である。
【図１８】上記写真で示す折り畳みシート体の背面図である。
【図１９】上記写真で示す折り畳みシート体の平面図である。
【図２０】上記写真で示す折り畳みシート体の底面図である。
【図２１】上記写真で示す折り畳みシート体の左側面図である。
【図２２】上記写真で示す折り畳みシート体の右側面図である。
【図２３】本発明の実施形態に係る折り畳みシート体の使用開始時の状態（閉じた状態から開き始める状態）を写真で示す参考図である。
【図２４】上記写真で示す折り畳みシート体の使用途中の参考図である。
【図２５】上記写真で示す折り畳みシート体の使用時の状態（完全に開いた状態）の参考図である。
【符号の説明】
【００３０】
１０                        本発明に係る折り畳みシート体
１０Ａ                      折り畳みシート本体
１１                        横長矩形状シート体
１２                        中央シート面
１２Ａ                      （中央シート面の）一側端
１２Ｓ                      ストッパ
１３                        左シート面
１４                        右シート面
１５                        左スリット
１６Ａ、１６Ｂ              右スリット
１７                        突出片
１９Ｂ                      （円弧状の）スリット
２１                        デザイン
２２                        シート片
２３                        ノッチ
２４Ａ〜２４Ｄ              ラベル
【要約】
【課題】意外性や娯楽性に富み、商品の拡販目的や幼児の知育目的あるいは遊び道具等として使用でき、かつ安価に製造できる折り畳みシート体を提供する。
【解決手段】横長矩形状シート体の左右両側の面をそれぞれ中央シート面より狭幅にカットして左シート面及び右シート面を形成し、前記中央シート面の前記左シート面側における幅方向に前記右シート面の先端部が挿通可能な左スリットを刻設する一方、該中央シート面の前記右シート面側における幅方向に前記シート面の先端部が挿通可能な２本の右スリットを間をあけて刻設し、前記中央シート面の一側端に突出片を内側に折り畳み可能に延設し、かつ該突出片の前記中央シート面側に、スリット及び該スリットに接続する折り目を刻設し、さらに該折り目に頂点が接続するノッチを前記中央シート面の一側端に設けて折り畳みシート本体を形成する。
【選択図】図１【図１】
0004179565.tif 000002
【図２】
0004179565.tif 000003
【図３】
0004179565.tif 000004
【図４】
0004179565.tif 000005
【図５】
0004179565.tif 000006
【図６】
0004179565.tif 000007
【図７】
0004179565.tif 000008
【図８】
0004179565.tif 000009
【図９】
0004179565.tif 000010
【図１０】
0004179565.tif 000011
【図１１】
0004179565.tif 000012
【図１２】
0004179565.tif 000013
【図１３】
0004179565.tif 000014
【図１４】
0004179565.tif 000015
【図１５】
0004179565.tif 000016
【図１６】
0004179565.tif 000017
【図１７】
0004179565.tif 000018
【図１８】
0004179565.tif 000019
【図１９】
0004179565.tif 000020
【図２０】
0004179565.tif 000021
【図２１】
0004179565.tif 000022
【図２２】
0004179565.tif 000023
【図２３】
0004179565.tif 000024
【図２４】
0004179565.tif 000025
【図２５】
0004179565.tif 000026